(57)【要約】  【課題】  構成が比較的簡単でありながら、より確実な導通を得ることができる、あるいは、操作時のクリック感に優れているなどの利点のあるスイッチを提供する。  【解決手段】  スイッチ１は、押圧操作されるキートップ５と、キートップ５によって押されて支点Ｐの周りに回動する、作用部６ｂを有する操作ノブ６と、操作ノブ作用部６ｂによって押し下げられるコンタクトラバースイッチ１０と、を備える。ラバースイッチ１０は、操作ノブ作用部６ｂによって上面が押され、下面に可動接点１４の形成された押しボタン部１２と、押しボタン部１２の周りから斜め下方向に張り出すように形成されたスカート部１３と、を有する。操作ノブ６の回動支点Ｐ側のスカート部１３ｃは肉厚が薄く、反回動支点側のスカート部１３ａは肉厚が厚い。また、押しボタン部１２の上面は、回動支点側が高い斜面となっている。【選択図】  図１
2007148446.tif 000002
【特許請求の範囲】
【請求項１】
基板上に配置される固定接点を導通させるように押されるスイッチであって、
押圧操作されるキートップと、
該キートップによって押されて支点の周りに回動する、作用部を有する操作ノブと、
該ノブ作用部によって押し下げられるコンタクトラバースイッチと、を備え、
該ラバースイッチが、
前記操作ノブ作用部によって上面が押され、下面に可動接点の形成された押しボタン部と、
該押しボタン部の周りから斜め下方向に張り出すように形成されたスカート部と、を有し、
該スカート部の肉厚が、前記操作ノブの回動支点側の部分で薄く、反回動支点側の部分で厚いとともに、前記押しボタン部の上面が、回動支点側が高い斜面となっていることを特徴とするスイッチ。
【請求項２】
前記操作ノブの作用部が、操作時の当初に、前記ラバースイッチの押しボタン部の、前記操作ノブの回動支点側の縁に当たり、該回動支点側のスカート部が変形し、
次に、前記操作ノブの反回動支点側の縁に当たって押され、該反回動支点側のスカート部が変形することを特徴とする請求項１記載のスイッチ。
【請求項３】
前記コンタクトラバースイッチの押しボタン部が、
回動支点側が高い斜面を有する中央部と、
該中央部の回動支点側以外の部分を囲む外周部と、
前記中央部と外周部とを隔てる肉薄のスリットと、
を有し、
前記操作ノブの作用部が、前記コンタクトラバースイッチの押しボタン部に当接した際、該押しボタン部の中央部の上面のみに接触し、外周部には当接しないことを特徴とする請求項１記載のスイッチ。
【請求項４】
前記コンタクトラバースイッチは、
前記キートップの予圧段階では、該可動接点が回動支点に向って下方に傾斜し、
押圧操作中該可動接点の傾斜角度が徐々に小さくなり、
最後に、該可動接点が前記固定接点に対してほぼ平行となって接することを特徴とする請求項１〜３いずれか１項に記載のスイッチ。
【請求項５】
押圧操作の最後の段階で、前記操作ノブの反回動支点側の肉厚スカート部が一気に変形し、使用者に押圧操作が完了したことを示すクリック感を与えることを特徴とする請求項１〜４いずれか１項記載のスイッチ。
【発明の詳細な説明】
【技術分野】
【０００１】
本発明は、家電製品や携帯電話、自動車の各部などを操作するためのコンタクトラバースイッチを用いたシーソーキー対応スイッチに関する。
【背景技術】
【０００２】
家電製品や車両に搭載されるスイッチには、コンタクトラバースイッチが使用されているものがある。このようなスイッチは、押圧操作されるキートップや操作ノブと、これらによって押し下げられるラバースイッチから主に構成されている。キートップが指で押されると、ラバースイッチを押し下げて、同スイッチの下面に形成されている可動接点が、基板上に形成されている固定接点に接触して導通が得られる。【０００３】
このようなスイッチにおいては、操作ノブが支点周りに回動するように構成されているタイプがある。このタイプでは、キートップを押して操作ノブを回動させ続けると、操作ノブは傾いた姿勢で押しボタン部に当接する。このため、可動接点がまっすぐ下に下がらず、十分な導通が得られないような場合があった。さらに、このようなコンタクトラバースイッチにおいては、スイッチを押したときのラバーの変形によって可動接点を導通させるものであるが、その際、ボタンの操作が完了したことを示す明瞭なクリック感を得ることが好ましい。【０００４】
このような点を改善するために、可動接点を、押し下げたときに固定接点と平行となる角度のテーパ面としたシーソースイッチ、操作ノブと当接する当接部を上方に突出させて形成し、操作ノブとの接触面積を小さくしたシーソースイッチなどが提案されている（例えば特許文献１、２参照）。また、操作ノブでプッシャを押圧し、このプッシャでラバーコンタクトスイッチの可動接点を押圧するものであって、ラバーコンタクトスイッチに、操作ノブがプッシャに当接する前に接する弾性部を設けたスイッチも提案されている（特許文献３参照）。しかしながら、これらのスイッチは、十分に良好なクリック感が得られなかったり、部品が増えて構造が複雑になるという問題があった。【０００５】
【特許文献１】実開昭６３−６０２３４
【特許文献２】実開昭６３−１１２７２４
【特許文献３】特開２００５−５１３９
【発明の開示】
【発明が解決しようとする課題】
【０００６】
本発明は、上記の問題点に鑑みてなされたものであって、構成が比較的簡単でありながら、より確実な導通を得ることができる、あるいは、操作時のクリック感に優れているなどの利点のあるスイッチを提供することを目的とする。
【課題を解決するための手段】
【０００７】
本発明のスイッチは、  基板上に配置される固定接点を導通させるように押されるスイッチであって、  押圧操作されるキートップと、  該キートップによって押されて支点の周りに回動する、作用部を有する操作ノブと、  該ノブ作用部によって押し下げられるコンタクトラバースイッチと、を備え、  該ラバースイッチが、  前記操作ノブ作用部によって上面が押され、下面に可動接点の形成された押しボタン部と、  該押しボタン部の周りから斜め下方向に張り出すように形成されたスカート部と、を有し、  該スカート部の肉厚が、前記操作ノブの回動支点側の部分で薄く、反回動支点側の部分で厚いとともに、前記押しボタン部の上面が、回動支点側が高い斜面となっていることを特徴とする。【０００８】
従来のこの種のスイッチにおいては、操作ノブが支点周りに回動するように構成されているので、操作ノブの回動中のほとんどの間、操作ノブは傾いた姿勢で押しボタン部に当接する。このため、可動接点がまっすぐ下に下がらず、十分な導通を得られないような場合があった。この点を改良すべく、本発明では、スカート部の肉厚を、操作ノブの回動支点側の部分で薄く、反回動支点側の部分で厚くするとともに、押しボタン部の上面を、回動支点側が高い斜面とした。これにより、詳しくは図３を参照しつつ後述するように、最終的に可動接点を固定接点に対してほぼ平行に面接触させることができ、良好な接触が得られる。【０００９】
本発明においては、  前記操作ノブの作用部が、操作時の当初に、前記ラバースイッチの押しボタン部の、前記操作ノブの回動支点側の縁に当たり、該回動支点側のスカート部が変形し、  次に、前記操作ノブの反回動支点側の縁に当たって押され、該反回動支点側のスカート部が変形することが好ましい。【００１０】
この場合、初期段階（予圧状態）において、回動支点側のスカート部が変形して押しボタン部の回動支点側が下がっているので、押しボタン部の上面をほぼ均一に操作ノブの作用部に当接させることができる。【００１１】
本発明においては、  前記コンタクトラバースイッチの押しボタン部が、  回動支点側が高い斜面を有する中央部と、  該中央部の回動支点側以外の部分を囲む外周部と、  前記中央部と外周部とを隔てる肉薄のスリットと、を有し、  前記操作ノブの作用部が、前記コンタクトラバースイッチの押しボタン部に当接した際、該押しボタン部の中央部の上面のみに接触し、外周部には当接しないこととしてもよい。【００１２】
この場合、操作ノブの作用部で押しボタン部が押されたときに、同押しボタン部の中央部がスリットの底部に対して回動しやすくなり、中央部の上面と外周部の上面を、操作ノブの作用部に当接させることができる。【００１３】
本発明においては、  前記コンタクトラバースイッチは、  前記キートップの予圧段階では、該可動接点が回動支点に向って下方に傾斜し、  押圧操作中該可動接点の傾斜角度が徐々に小さくなり、  最後に、該可動接点が前記固定接点に対してほぼ平行となって接することとできる。【００１４】
本発明においては、押圧操作の最後の段階で、前記操作ノブの反回動支点側の肉厚スカート部が一気に変形し、使用者に押圧操作が完了したことを示すクリック感を与えることが好ましい。【００１５】
この場合、押圧操作の最後で、肉厚のスカート部が一気に変形する際の力がキートップにかかるので、使用者に押圧操作が完了したことを示す明瞭なクリック感を与えることができる。
【発明の効果】
【００１６】
以上の説明から明らかなように、本発明によれば、押しボタン部の可動接点を基板上の固定接点とほぼ平行な姿勢で面接触させることができる。しかも、従来のものと比べて、コンタクトラバースイッチの形状を工夫したのみで、部品数は増えていない。このため、安定に動作するとともに、構造の簡単なスイッチを提供できる。
【発明を実施するための形態】
【００１７】
以下、本発明の実施の形態について、図面を参照しながら詳細に説明する。
図１は、本発明の第１の実施の形態に係るスイッチの構造を示す側面図である。
図２は、図１のスイッチに使用されているコンタクトラバースイッチの構造を示す図であり、図２（Ａ）は側面図、図２（Ｂ）は平面図である。
図３は、図１のスイッチの作用状態を示す図である。
このスイッチ１は、図１に示すように、基板２上に取り付けられており、その基板２上に形成された固定接点３の一対の接点（図示されず）を導通させるように押されるものである。スイッチ１は、指で押圧操作されるキートップ５と、このキートップ５によって押される操作ノブ６と、操作ノブ６で押し下げられるコンタクトラバースイッチ１０と、を備える。基板２は、例えば、ガラス繊維シートを芯材としたエポキシ樹脂基板である。基板２上には回路が形成されており、この回路の一部に、基板２の表面に露出する固定接点３が設けられている。固定接点３は、例えば、導電性インクによる印刷等により形成される。
【００１８】
キートップ５は、円柱状の本体５ａと、本体５ａの下面から外方向に張り出すフランジ５ｂと、本体５ａの下面中央から垂直に突き出た押しロッド５ｃとを有する。キートップ５は、基板３の上部を覆うケース４に上下方向にスライド可能に取り付けられている。つまり、ケース４には、キートップ５の本体５ａが通過可能な円形の開口４ａが開けられている。この開口４ａの側面には、所定の高さの環状の凹部４ｂが形成されており、同凹部４ｂ内にフランジ５ｂが収容される。キートップ５は、フランジ５ｂがこの凹部４ｂ内を上下方向にスライドすることにより、上下方向（ストローク方向）にガイドされる。
【００１９】
キートップ５の下方には、操作ノブ６が配置されている。操作ノブ６は、平坦なプレート状の部材であり、基端部６ａがケース４に対して回動可能に取り付けられている。キートップ５の押しロッド５ｃは、操作ノブ６の先端部（作用部）６ｂに当接している。キートップ５が押されると、操作ノブ６の先端部６ｂが押しロッド５ｃで押されて、操作ノブ６は支点Ｐの周りに回動する。後述するように、操作ノブ６の回動支点Ｐの高さは、コンタクトラバースイッチ１０の最高部の高さよりも低い位置に位置する。この例では、操作ノブ６は、水平よりやや上方に傾斜した姿勢から、水平よりやや下方に傾斜した姿勢に回動する。
【００２０】
操作ノブ６の先端部（作用部）６ｂの下方には、コンタクトラバースイッチ１０が配置されている。ラバースイッチ１０は、基板２上に支持される支持部１１と、操作ノブ６の作用部６ｂによって上面が押される押しボタン部１２と、この押しボタン部１２の周りから支持部１１につながる斜め下方向に張り出すように形成されたスカート部１３と、を備えている。押しボタン部１２の下面には可動接点１４が設けられている。この可動接点１４は、基板２に形成された固定接点３の上方に位置している。操作ノブ６の作用部６ｂでラバースイッチ１０の押しボタン部１２が押されると、同部が下方に移動し、可動接点１４が固定接点３に当接して固定接点３内の一対の接点間に導通が得られる。
【００２１】
図２を参照してコンタクトラバースイッチ１０の構造を詳細に説明する。
ラバースイッチ１０は、前述のように、基板２上に支持される支持部１１と、操作ノブ６の作用部６ｂによって上面が押される押しボタン部１２と、この押しボタン部１２の周りから支持部１１に向って斜め下方向に張り出すように形成されたスカート部１３と、を有する。各部は、弾性を有するゴムで一体成形される。このようなゴムとしては、シリコンゴムを使用できる。
【００２２】
支持部１１は、基板２の表面に接するように、基板２に取り付けられる。支持部１１には、基板２の表面に設けられた固定接点３に対応する開口１１ａが開けられている。
【００２３】
押しボタン部１２は略直方体形状の部材であり、操作ノブ６の回動支点Ｐ側（単に支点側とも言う、この例では図の右側）の主部１２ａと、操作ノブ６の反回動支点側（単に反支点側ともいう）の副部１２ｂを有する。主部１２ａの上面１２ｃは、回動支点Ｐに向って上方に傾斜した傾斜面となっており、副部１２ｂの上面１２ｄは、ほぼ水平な平坦面となっている。この例では、傾斜上面１２ｃは、押しボタン部１２の全上面の面積の約２／３程度であり、平坦上面１２ｄは約１／３程度である。同上面の最高部（支点側の縁１２ｅ）の高さは、ラバースイッチ１０が押されていない自由な状態で、操作ノブ６の回動支点Ｐの高さよりもやや上方に位置する。
【００２４】
主部１２ａの下面には、下方に突出した円柱状の突部１２ｇが設けられている。この突部１２ｇの下面はほぼ水平な面（固定接点３とほぼ平行な面）であり、同部１２ｇには可動接点１４が形成されている。可動接点１４は、例えば、突部１２ｇの下面に、金メッキや、金属やカーボン等の導電体を施すことにより形成されている。可動接点１４の中心は、傾斜上面１２ｃのほぼ中心に位置している。
副部１２ｂの下面は、主部１２ａの下面（可動接点１４）より一段高くなっている。
【００２５】
スカート部１３は、押しボタン部１２の周りから支持部１１の開口１１ａの縁に向って斜め下外方向に張り出している。ここで、押しボタン部１２の周りの４個の辺のうち、反回動支点側の辺から張り出すスカート部１３ａの肉厚は、その他の３個の辺から張り出すスカート部１３ｂ、１３ｃ、１３ｄの肉厚よりも厚くなっている。
さらに、図２（Ａ）に示すように、反支点側の辺以外の３個の辺においては、スカート部１３ｃが主部１２ａの側面から斜め下方向に張り出している。一方、反支点側の辺においては、スカート部１３ａが、副部１２ｂの下面外縁から斜め下方向に張り出している。
なお、操作ノブ６の支点側以外のスカート部１３ａ、１３ｂ、１３ｄの周囲の溝１３ｅは、押しボタン部１２の加圧時にスカート部１３の変形応力を支持部１１に干渉させないためのものである。溝１３ｅを設けない場合、変形時にかかる力が支持部１１に及び、支持部１１が動く場合がある。また、溝１３ｅを設けた場合、押圧力が分散されるので、若干クリック感へ影響を与えることがある。なお、具体的な製品設計のバリエーションによっては、この溝１３ｅを設けない場合もある。
【００２６】
図２（Ａ）において想像線で示す操作ノブ６は、フリーの状態（操作ノブ６がコンタクトラバースイッチ１０の上面に乗って、コンタクトラバースイッチ１０に操作ノブ６の自重のみがかかっている状態）では、同ノブ６の作用部６ｂの下面が、押しボタン部１２の上面の、支点側の縁１２ｅにのみ当接して、反支点側の縁１２ｆには当接していない。操作ノブ６の回動支点Ｐの高さが、押しボタン部１２の上面の最高部（縁１２ｅ）の高さよりもやや下方に位置するので、操作ノブ６は回動支点Ｐからやや斜め上方に傾いて、押しボタン部１２に当接している。
【００２７】
次に、図３を参照してこのスイッチの動作を説明する。
図３（Ａ）に示すように、このラバースイッチ１０がケース４内に組み立てられた状態では、キートップ５のフランジ５ｂは、ケース４の凹部４ｂの最上限に係止されている。そして、キートップ５の押しロッド５ｃは、押しボタン部１２の主部１２ａの上面１２ｃほぼ中心（可動接点１４のほぼ中心）に当たるように、操作ノブ６の作用部６ｂに当接している。このとき、操作ノブ６はほぼ水平の姿勢となるまで回動しており、ラバースイッチ１０の押しボタン部１２の上面には圧力がかかっている（予圧状態）。このような予圧をかけることにより、バックラッシュをなくしている。逆にいうと、ラバースイッチ１０が少し押し込まれており、その反発力がキートップ５を押し上げて、その押上げ力がフランジ５ｂで押えられている。
【００２８】
このように押しボタン部１２が操作ノブ６で押されると、支点側のスカート部１３ｃは肉厚が薄く変形しやすいので外方向に膨らむようにしなる。一方、反支点側のスカード部１３ａは肉厚が厚く変形しにくいので、ほとんど変形しない。これにより、押しボタン部１２は、支点側の縁１２ｅを中心にして図の時計方向に回動し、押しボタン部１２の最も反支点側の縁１２ｆが操作ノブ６に当接する。なお、押しボタン部１２の傾斜上面１２ｃと平坦上面１２ｄとの間の部分と操作ノブ６の下面との間にはややスキマがあいている。そして、押しボタン部１２の下面の可動接点１４は、図２（Ａ）に示す水平状態（固定接点３に対して平行な状態）から、支点側が下がるように傾いている。
【００２９】
次に、図３（Ｂ）に示すように、キートップ５を下方に押して操作ノブ６で押しボタン部１２を押し下げると、操作ノブ６は回動支点Ｐからやや下方に（水平面に対して下方に）傾斜するように回動する。
【００３０】
すると、肉厚が薄く変形しやすい、支点側のスカート部１３ｂがさらに外方向に膨らむようにしなる。同時に、支点側のスカート部１３ｂに比べて肉厚が厚く変形しにくい、反支点側のスカート部１３ａも、やや外方向に膨らむように変形する。ここで、押しボタン部１２の傾斜上面１２ｃ及び平坦上面１２ｄが、操作ノブ６の下面にほぼ面接触するように、押しボタン部１２が弾性変形する。そして、可動接点１４は、まだ支点側が下がるように傾斜しているが、水平面に対する傾斜角度は図２（Ａ）の状態に比べて小さくなっている。
【００３１】
最後に、図３（Ｃ）に示すように、キートップ５を、フランジ５ｂがケース４の凹部４ｂの最下限に係止されるまで押して操作ノブ６で押しボタン部１２を押し下げる。これにより、操作ノブ６は、図３（Ｂ）の状態からさらに下方に（水平面に対してさらに下方に）傾斜するように回動する。
【００３２】
すると、変形しにくい反支点側のスカート部１３ａも、荷重に耐えられずに一気に変形しようとする。ただし、反支点側のスカート部１３ａは、上述のように肉厚であるとともに、押しボタン部１２の副部１２ｂの下面から斜め下方向に張り出すように設けられているので、同スカート部１３ａはあまり外方向には膨らまない。一方、変形しやすい支点側のスカート部１３ｂは外方向に膨らんでさらに変形する。これにより、押しボタン部１２は内側（回動支点Ｐ側）に移動しながら下方に向って押し下げられる。すると、可動接点１４の水平面に対する傾斜角度がほとんどなくなり、固定接点３にほぼ平行となって、両接点３、１４が面で当接する。
【００３３】
以上説明したように、押しボタン部１２に形成された可動接点１４が、基板２上の固定接点３にほぼ面で接触するので、両者間の接触不良などを起こすおそれがない。また、図３（Ｃ）に示す最後の段階において、肉厚のスカート部１３ａが一気に変形する際の力がキートップ５にかかるので、使用者に明瞭なクリック感を与えられる。
【００３４】
キートップ５を押圧していた力を解除すると、スカート部１３はもとの状態に弾性復帰する。これにより、キートップ５のフランジ５ｂがケース４の凹部４ｂの上限に係止されるまで、操作ノブ６が押しボタン部１２で押し上げられる。
【００３５】
図４は、本発明の第２の実施の形態に係るスイッチのコンタクトラバースイッチの構造を説明する図であり、図４（Ａ）は側面図、図４（Ｂ）は平面図である。
図５は、図４のスイッチの作用状態を示す図である。
この例のスイッチ１´は、図１のスイッチ１とほぼ同様の構成を有するが、押しボタン部２２の構造が異なる。この例では、図４（Ｂ）に示すように、押しボタン部２２が、円形の丘状の中央部２２ａと、この中央部２２ａとスリット２２ｃを隔てて形成される外周部２２ｂとからなる。図４、５において、図１のスイッチ１の各部位と同じ構造・作用を有する部位は、図１と同じ符号を付し、説明を省略する。
【００３６】
中央部２２ａは、図１の押しボタン部１２の主部１２ａに相当する部分で、上面２２ｄは回動支点Ｐに向って上方に傾斜している。また、中央部２２ａの下面には、下方に突出した円柱状の突部２２ｆが設けられている。この突部２２ｆの下面は略水平面（固定接点３とほぼ平行な面）であり、同部２２ｆの下面に可動接点１４が形成されている。
外周部２２ｂは、図１の押しボタン部１２の副部１２ｂに相当するもので、中央部２２ａの、回動支点Ｐ側の部分以外を取り囲むように形成されている。外周部２２ｂの上面は水平で、中央部２２ａの上面２２ｄの最下部と同じ高さである。また、スリット２２ｃの底の部分２２ｇは肉厚が薄く形成されている。
【００３７】
図４（Ａ）に示すように、操作ノブ６がフリーの状態では、同ノブ６の作用部６ｂの下面が、押しボタン部２２の中央部２２ａの支点側の縁２２ｅにのみ当接して、外周部２２ｂには当接していない。操作ノブ６は、回動支点Ｐからやや斜め上方に傾いて、押しボタン部１２に当接している。
【００３８】
次に、図５を参照してこのスイッチの作用を説明する。
図５（Ａ）に示す予圧状態では、図３（Ａ）と同様に、押しボタン部２２は、操作ノブの支点側の縁２２ｅを中心にして図の時計方向に回動する。このとき、押しボタン部２２の中央部２２ａと外周部２２ｂとの間にはスリット２２ｃが存在するので、スリット２２ｃの落低部２２ｇは変形しやすい。そのため、中央部２２ａはスリット２２ｃの落底部２２ｇに対して、図の時計方向に回動しやすくなっている。その結果、押しボタン部２２の中央部２２ａの上面２２ｄ及び外周部２２ｂの上面に操作ノブ６の下面がほぼピッタリと当接する。そして、可動接点１４は、回動支点Ｐ側が下がるように傾く。
【００３９】
次に、図５（Ｂ）に示すように、キートップ５を下方に押して操作ノブ６で押しボタン部１２を押し下げると、操作ノブ６は回動支点Ｐからやや下方に傾斜するように回動する。そして、可動接点１４は、まだ支点側が下がるように傾斜しているが、水平面に対する傾斜角度は図５（Ａ）の状態に比べて小さくなっている。
【００４０】
最後に、図５（Ｃ）に示すように、キートップ５を最も下方まで押して操作ノブ６で押しボタン部２２を押し下げると、図３（Ｃ）と同様に、可動接点１４はほぼ水平となって固定接点３に接する。同時に、図３（Ｃ）と同様にスカート部１３が変形する。
【００４１】
この例のように、押しボタン部２２にスリット２２ｃを設けると、押しボタン部２２の全上面が操作ノブ６の作用部６ｂの下面に接触できる。ただし、必ずしもスリット２２ｃを設ける必要はない。
【図面の簡単な説明】
【００４２】
【図１】本発明の第１の実施の形態に係るスイッチの構造を示す側面図である。
【図２】図１のスイッチに使用されているコンタクトラバースイッチの構造を示す図であり、図２（Ａ）は側面図、図２（Ｂ）は平面図である。
【図３】図１のスイッチの作用状態を示す図である。
【図４】本発明の第２の実施の形態に係るスイッチのコンタクトラバースイッチの構造を説明する図であり、図４（Ａ）は側面図、図４（Ｂ）は平面図である。
【図５】図４のスイッチの作用状態を示す図である。
【符号の説明】
【００４３】
１  スイッチ                            ２  基板
３  固定接点                            ４  ケース
５  キートップ                          ６  操作ノブ
１０、１０´  コンタクトラバースイッチ
１１  支持部                              １２、２２  押しボタン部
１３  スカート部                          １４  可動接点
【図１】
2007148446.tif 000003
【図２】
2007148446.tif 000004
【図３】
2007148446.tif 000005
【図４】
2007148446.tif 000006
【図５】
2007148446.tif 000007
【手続補正書】
【提出日】平成19年10月22日(2007.10.22)
【手続補正１】
【補正対象書類名】特許請求の範囲
【補正対象項目名】全文
【補正方法】変更
【補正の内容】
【特許請求の範囲】
【請求項１】
基板上に配置される固定接点を導通させるように押されるスイッチであって、
押圧操作されるキートップと、
該キートップによって押されて支点の周りに回動する、作用部を有する操作ノブと、
該ノブ作用部によって押し下げられるコンタクトラバースイッチと、を備え、
該ラバースイッチが、
前記操作ノブ作用部によって上面が押され、下面に可動接点の形成された押しボタン部と、
該押しボタン部の周りから斜め下方向に張り出すように形成されたスカート部と、を有し、
該スカート部の肉厚が、前記操作ノブの回動支点側の部分で薄く、反回動支点側の部分で厚いとともに、前記押しボタン部の上面が、回動支点側が高い斜面となっており、
前記キートップは、前記ラバースイッチの押しボタン部の上面ほぼ中心に当たるように、前記操作ノブ作用部に当接しており、
前記操作ノブはプレート状の部材であり、
前記操作ノブは、該ノブが前記コンタクトラバースイッチの上面に乗って該ラバースイッチに該ノブの自重のみがかかっている状態では、該ノブの作用部の下面が前記ラバースイッチの押しボタン部の上面の、支点側の縁のみ当接していることを特徴とするスイッチ。
【請求項２】
前記操作ノブの作用部が、操作時の当初に、前記ラバースイッチの押しボタン部の、前記操作ノブの回動支点側の縁に当たり、該回動支点側のスカート部が変形し、
次に、前記操作ノブの反回動支点側の縁に当たって押され、該反回動支点側のスカート部が変形することを特徴とする請求項１記載のスイッチ。
【請求項３】
前記コンタクトラバースイッチの押しボタン部が、
回動支点側が高い斜面を有する中央部と、
該中央部の回動支点側以外の部分を囲む外周部と、
前記中央部と外周部とを隔てる肉薄のスリットと、
を有し、
前記操作ノブの作用部が、前記コンタクトラバースイッチの押しボタン部に当接した際、該押しボタン部の中央部の上面のみに接触し、外周部には当接しないことを特徴とする請求項１記載のスイッチ。
【請求項４】
前記コンタクトラバースイッチは、
前記キートップの予圧段階では、該可動接点が回動支点に向って下方に傾斜し、
押圧操作中該可動接点の傾斜角度が徐々に小さくなり、
最後に、該可動接点が前記固定接点に対してほぼ平行となって接することを特徴とする請求項１〜３いずれか１項に記載のスイッチ。
【請求項５】
押圧操作の最後の段階で、前記操作ノブの反回動支点側の肉厚スカート部が一気に変形し、使用者に押圧操作が完了したことを示すクリック感を与えることを特徴とする請求項１〜４いずれか１項記載のスイッチ。
【手続補正２】
【補正対象書類名】明細書
【補正対象項目名】０００７
【補正方法】変更
【補正の内容】
【０００７】
本発明のスイッチは、  基板上に配置される固定接点を導通させるように押されるスイッチであって、  押圧操作されるキートップと、  該キートップによって押されて支点の周りに回動する、作用部を有する操作ノブと、  該ノブ作用部によって押し下げられるコンタクトラバースイッチと、を備え、  該ラバースイッチが、  前記操作ノブ作用部によって上面が押され、下面に可動接点の形成された押しボタン部と、  該押しボタン部の周りから斜め下方向に張り出すように形成されたスカート部と、を有し、  該スカート部の肉厚が、前記操作ノブの回動支点側の部分で薄く、反回動支点側の部分で厚いとともに、前記押しボタン部の上面が、回動支点側が高い斜面となっており、 前記キートップは、前記ラバースイッチの押しボタン部の上面ほぼ中心に当たるように、前記操作ノブ作用部に当接しており、
前記操作ノブはプレート状の部材であり、 前記操作ノブは、該ノブが前記コンタクトラバースイッチの上面に乗って該ラバースイッチに該ノブの自重のみがかかっている状態では、該ノブの作用部の下面が前記ラバースイッチの押しボタン部の上面の、支点側の縁のみ当接していることを特徴とする。
【国際調査報告】
2007148446.tif 000008
2007148446.tif 000009
2007148446.tif 000010
2007148446.tif 000011